(57)【要約】      （修正有）【課題】必要時のみ装置を作動させることができるとともに、前記装置の作動を手元で容易に行うことができ、雨天時における雨や快晴時おける紫外線を浴びることを防止することができる、自動車用防雨防紫外線装置を提供する。【解決手段】自動車の天井部の空間内にあっては、１枚乃至複数枚から構成されるシート部材または巻取りロールに巻かれたシート部材をドアの上枠内面と当接する部分より出し入れ自在且つ当該天井部の空間内に引き込まれるように付勢させて収納し、前記ドアにあっては、該ドアの上枠内側の少なくとも１箇所以上において制御装置にて駆動可能な電磁マグネットを挿着し、前記シート部材にあっては、ドアの上枠内面と当接する端部に前記電磁マグネットに吸着可能な金属板を係着し、ドアの開閉等を無線で行うことができるワイヤレスキーにて前記制御装置を作動させ、該無線操作にてシート部材の開閉制御が行える構造とする。【選択図】図１
0003143979.tif 000002
【実用新案登録請求の範囲】
【請求項１】
自動車の天井部の空間内にあっては、１枚乃至複数枚から構成されるシート部材または巻取りロールに巻かれたシート部材をドアの上枠内面と当接する部分より出し入れ自在且つ当該天井部の空間内に引き込まれるように付勢させて収納し、前記ドアにあっては、該ドアの上枠内側の少なくとも１箇所以上において制御装置にて駆動可能な電磁マグネットを挿着し、前記シート部材にあっては、ドアの上枠内面と当接する端部に前記電磁マグネットに吸着可能な金属板を係着し、ドアの開閉等を無線で行うことができるワイヤレスキーにて前記制御装置を作動させ、該無線操作にてシート部材の開閉制御を行うことができる構造としたことを特徴とする、自動車用防雨防紫外線装置。
【考案の詳細な説明】
【技術分野】
【０００１】  本考案は、自動車のドアを開けて乗降する際に、雨や紫外線を浴びることを防止するための、自動車用防雨防紫外線装置に関するものである。
【背景技術】
【０００２】  従来、自動車のドア（ヒンジタイプ）を開けて乗降する場合、雨が激しく降っている状況下では傘を閉じて車内に入る間または車外に降りて傘を開く間に濡れてしまうという問題点があった。特に、荷物を持っている場合や、体に不自由なところがある場合などではさらに顕著であった。【０００３】  上記問題点を解決すべく、自動車のドアと屋根との空間に雨除け用のシートを設け、該シートを一時的に傘の用途に用いて雨に濡れるのを防止することを目的とした特許文献が数多くある。例えば、実用新案登録第３００７７１５号公報（考案の名称：自動車用雨除け装置）では、車体天板の側縁上に脱着可能にまたはその天板内に固定式に取り付けられた長方形のハウジングと、そのハウジング内よりほぼ水平方向に引っ込み可能に平面体で張り出される伸縮雨除け部とを具備することを特徴とした防雨装置について記載され、特開２００５−１２５８１６号公報（発明の名称：自動車におけるドアの防雨装置）では、車体の天井パネルに設けた覆い部材収納空間内に覆い部材を収納配置し、ドアの開放時にヒンジタイプドアと車体との間に形成されるドア開放空間は覆い部材によって覆われ、一方ヒンジタイプドアの閉塞時に覆い部材は覆い部材収納空間内に収納されることを特徴とした防雨装置について記載されている。【０００４】
【特許文献１】実用新案登録第３００７７１５号
【特許文献２】特開２００５−１２５８１６
【考案の開示】
【考案が解決しようとする課題】
【０００５】  上記実用新案登録第３００７７１５号公報に記載の防雨装置は、使用時において、羽根またはロールスクリーン等で構成される伸縮雨除け部に係止されたひもを手で引いて広げ若しくは車内のスイッチを操作して電動で広げるものである。しかし、該構造では手で伸縮雨除け部を広げる際に当該手および腕が雨に濡れる可能性があり、車内のスイッチを操作して電動で広げる際には降車時においては問題ないものの乗車時においては車内に腕を入れて操作する必要があるため、その間に雨に濡れてしまうという欠点があった。【０００６】  また、上記特開２００５−１２５８１６号公報に記載の防雨装置は、第一実施例として、フィルム状の覆い部材の一端が回転軸に巻き取られて配置され、前記覆い部材の他端がドア上部の内側に押圧部材を介して係止された構造であり、ドアの開閉に伴い前記覆い部材が常に追従するため、雨が降っていない時など覆い部材が不要な場合に、取り外すことができないという欠点があった。また、第二実施例として、平板状の覆い部材にネジ機構を設け、モーターの正逆回転により前記覆い部材を移動させる構造であり、機構的に複雑となり高価なものになってしまうという問題点があった。さらに、正逆手動スイッチが天井パネル部にあるため、降車時においては車外に腕を出して操作する必要があるため、その間に雨に濡れてしまうという欠点があった。【０００７】  本考案は、上記欠点や問題点を解決するために成されたものであり、必要時のみ装置を作動させることができるとともに、前記装置の作動を手元で容易に行うことができ、雨天時における雨や快晴時おける紫外線を浴びることを防止することができる、自動車用防雨防紫外線装置を提供することを目的とする。
【課題を解決するための手段】
【０００８】  上記課題を解決するため、本考案の自動車用防雨防紫外線装置は、自動車の天井部の空間内にあっては、１枚乃至複数枚から構成されるシート部材または巻き取りロールに巻かれたシート部材をドアの上枠内面と当接する部分より出し入れ自在且つ当該天井部の空間内に引き込まれるように付勢させて収納し、前記ドアにあっては、該ドアの上枠内側の少なくとも１箇所以上において制御装置にて駆動可能な電磁マグネットを挿着し、前記シート部材にあっては、ドアの上枠内面と当接する端部に前記電磁マグネットに吸着可能な金属板を係着し、ドアの開閉等を無線で行うことができるワイヤレスキーにて前記制御装置を作動させ、該無線操作にてシート部材の開閉制御を行うことができる構造とする。
【考案の効果】
【０００９】  本考案の自動車用防雨防紫外線装置によれば、自動車の乗降時において、雨天時で雨傘をさす必要がある場合や快晴時で日傘をさす必要がある場合など、必要時のみ装置を作動させてシート部材を出し入れすることができ、さらには前記装置の作動をワイヤレスキーによる無線操作にて手元で容易に行うことができるため、雨天時における雨や快晴時おける紫外線を浴びることを確実に防止することができるという絶大なる効果を奏することができる。
【考案を実施するための最良の形態】
【００１０】  本考案の自動車用防雨防紫外線装置を実施するための最良の形態を図を用いて説明する。【００１１】  図１は本考案の自動車用防雨防紫外線装置を搭載した自動車の一実施例図であり、（ａ）はシート部材が天井部より引き出された状態を示し、（ｂ）はシート部材が天井部の空間内に収納された状態を示している。該図に示すように、自動車１の天井部５の空間内に、１枚乃至複数枚から構成されるシート部材４または巻き取りロールに巻かれたシート部材４（図１では２枚で構成されるシート部材４）をドア２の上枠３内面と当接する部分１９より出し入れ自在且つ当該天井部５の空間内に引き込まれるように、図示しないバネ機構により付勢させて収納する。【００１２】  また、図２は本考案の自動車用防雨防紫外線装置のシート部の実施例図であり、（ａ）はシート部材４が４ａ，４ｂの２枚で構成されている状態を示し、（ｂ）はシート部材４が１枚で構成されている状態を示し、（ｃ）はシート部材４が巻き取りロール８に巻き取り可能な状態を示している。上記図１および該図２の（ａ）では、シート部材４を４ａと４ｂの２枚で示したが、複数枚での構成枚数を２枚に限定するものではない。なお、シート部材４が複数枚で構成される場合、例えば前記図においてはシート部材４ｂの幅をシート部材４ａの幅より広くし、該シート部材４ａがシート部材４ｂ内にスライドして収納できるような構造にするのが好ましい。また、該図２の（ｃ）に示すように、巻き取りロール８は天井部５の空間内に設置されたロール収納ボックス７内に収納するのが好ましい。さらに、該巻き取りロール８を円錐柱状とすれば、シート部材４が扇型であっても弛むことなく巻き取ることが可能となる。【００１３】  次に、ドア２の上枠３内側の少なくとも１箇所以上において後述の制御装置にて駆動可能な電磁マグネット６を挿着する。さらに、上記シート部材４において、ドア２の上枠３内面と当接する端部に前記電磁マグネット６に吸着可能な金属板９、例えば鉄板やステンレス板を係着する。【００１４】  また、図３は本考案の自動車用防雨防紫外線装置を構成する制御装置の回路ブロック図であり、制御装置１０は、ドア２の開閉等を無線で行うことができるワイヤレスキー１７とアンテナ１１を中継して無線通信を行うための無線回路１２と、車内より電磁マグネット６の手動制御を行うためのスイッチ１８の信号を入力するためのインターフェース回路１３と、ドア２の上枠３内側に挿着してシート部材４に係着した金属板９の吸着を行う電磁マグネット６の駆動を行うための駆動回路１４と、前記無線回路１２とインターフェース回路１３と駆動回路１４とを制御するためのＣＰＵ１５と、前記ＣＰＵ１５を制御するためのプログラムを蓄積しさらにレジスタ機能を有するメモリ１６等にて構成される。なお、当該制御装置１０の回路電源は、外部の図示しないバッテリーより供給される。【００１５】  上記制御装置１０は、機能説明のための一実施例であり、このような回路ブロックに限定するものではない。なお、既に自動車１に内蔵されている図示しない別の制御装置の一部に上記と同様の機能を持たせれば、新たな制御装置１０が不要となって好ましい。【００１６】  次に、図４は本考���の自動車用防雨防紫外線装置のシート係着機構図であり、本考案の自動車用防雨防紫外線装置は、ドア２の開閉等を無線で行うことができるワイヤレスキー１７にて制御装置１０を作動させ、無線操作にてシート部材４の開閉制御が行える構造とする。ここで、（ａ）は自動車１のドア２が閉じた状態を示し、ドア２の上枠３内側に挿着した電磁マグネット６とシート４の端部に係着した金属板９とが接触している状態を示している。ここで、シート４が不要の場合は、車外に居てはワイヤレスキー１７の操作は行わず、車内に居てはスイッチ１８をＯＦＦにすることにより、（ｂ）に示すようにドア２を開けた際に電磁マグネット６は駆動されないためにシート４は天井部４に収納されたままとなっている。しかし、雨天時や快晴時等でシート４を使用したい場合は、車外に居てはワイヤレスキー１７の操作を行い、車内に居てはスイッチ１８をＯＮにすることにより、（ｃ）に示すようにドア２を開けた際に電磁マグネット６は駆動されるために電磁マグネット６とシート４の端部に係着した金属板９とが吸着してシート４は天井部４より引き出されることになる。【００１７】  以上のような構成により、必要時のみ装置を作動させることができるとともに、前記装置の作動を手元で容易に行うことができ、雨天時における雨や快晴時おける紫外線を浴びることを防止することができることになる。【００１８】  上記説明図において自動車１はセダン型の乗用車で説明したが、いかなるタイプの自動車および特殊車両であっても構わない。また、本考案の自動車用防雨防紫外線装置は運転席，助手席あるいは後部席等どのような位置に設置しても構わないものである。
【産業上の利用可能性】
【００１９】  上記説明では自動車のドアに用いる防雨防紫外線装置として説明したが、自動車以外に遊園地等の乗り物のドアや建築物等の屋外に面したドアなどに利用しても構わないものである。
【図面の簡単な説明】
【００２０】
【図１】本考案の自動車用防雨防紫外線装置を搭載した自動車の一実施例図である。
【図２】本考案の自動車用防雨防紫外線装置のシート部の実施例図である。
【図３】本考案の自動車用防雨防紫外線装置を構成する制御装置の回路ブロック図である。
【図４】本考案の自動車用防雨防紫外線装置のシート係着機構図である。
【符号の説明】
【００２１】１  自動車
２  ドア
３  上枠
４  シート部材
５  天井部
６  電磁マグネット
７  ロール収納ボックス
８  巻き取りロール
９  金属板
１０  制御装置
１１  アンテナ
１２  無線回路
１３  インターフェース回路
１４  駆動回路
１５  ＣＰＵ
１６  メモリ
１７  ワイヤレスキー
１８  スイッチ
【図１】
0003143979.tif 000003
【図２】
0003143979.tif 000004
【図３】
0003143979.tif 000005
【図４】
0003143979.tif 000006